(57)【要約】【課題】大小便兼用トイレ設備において、便器が上下移動しない場合と比して、男性の使用者が小便をする際に、便器リム部が小便で汚れてしまうのを抑制することができる大小便兼用トイレ設備を得る。【解決手段】移動手段は、便器を、大便使用位置と、大便使用位置に対して上方の小便使用位置とへ上下移動させる。また、開閉手段は、便器が大便使用位置に配置された状態で、便器リム部を便座で閉じ、便器が小便使用位置に配置された状態で、便器リム部を便座から開放する。【選択図】図１
2020063653.tif 000002
【特許請求の範囲】
【請求項１】
排泄物が排泄されると共に上方が開放された便器ボウル部と、前記便器ボウル部の外周縁を形成する便器リム部とを有する便器と、
前記便器リム部を開閉する便座と、
前記便器を、大便使用位置と、前記大便使用位置に対して上方の小便使用位置とへ上下移動させる移動手段と、
前記便器が前記大便使用位置に配置された状態で、前記便器リム部を前記便座で閉じ、前記便器が前記小便使用位置に配置された状態で、前記便器リム部を前記便座から開放する開閉手段と、
を備える大小便兼用トイレ設備。
【請求項２】
前記便器は、前記便器ボウル部において使用者とは反対側の部分から上方へ立ち上がり、使用者側を向いたボウル面が形成されると共に使用者側が開放された小便用便器ボウル部を有し、
前記便座が前記便器リム部を開放した状態で、前記便座は、前記小便用便器ボウル部を使用者側に開放している請求項１に記載の大小便兼用トイレ設備。
【請求項３】
前記便座が前記便器リム部を閉じた状態で、前記便座には、前記小便用便器ボウル部を使用者側から覆う覆い部材が形成されている請求項２に記載の大小便兼用トイレ設備。
【発明の詳細な説明】
【技術分野】
【０００１】
本発明は、大小便兼用トイレ設備に関する。
【背景技術】
【０００２】
特許文献１には、壁掛け便器本体と、壁掛け便器本体の底部をトイレ床面と所定間隔隔てて便器底部とトイレ床面との間に清掃用空間を形成するための便器取付け部を備えた固定フレームと、固定フレームを略垂直に支持するベース板と、を有し、ベース板は、固定フレームに対して壁掛け便器本体の先端方向に向かって延出し、かつトイレ床面の少なくとも一部をなしている便器が記載されている。
【先行技術文献】
【特許文献】
【０００３】
【特許文献１】特開２００８−２６７１２８号公報
【発明の概要】
【発明が解決しようとする課題】
【０００４】
従来の洋式トイレは、排泄物が排泄される便器ボウル部及び便器ボウル部の外周を形成する便器リム部を有する便器と、便器リム部を上方から覆い、使用者が腰掛けるための便座とを備えている。この便座は、回転移動可能に便器に取り付けられており、便器リム部を上方から覆って閉じる閉塞位置と、便器リム部を開放する開放位置とに移動する。
【０００５】
また、このトイレに設けられた便器の床面からの高さは、使用者が便座に腰掛けることを考慮して決められている。このため、成人男性の使用者が小便をする際には、便器の位置が低く、小便の飛距離が長くなりことで、便器リム部を小便で汚してしまうことがある。
【０００６】
本発明の課題は、大小便兼用トイレ設備において、便器が上下移動しない場合と比して、男性の使用者が小便をする際に、便器リム部が小便で汚れてしまうのを抑制することである。
【課題を解決するための手段】
【０００７】
本発明の請求項１に係る大小便兼用トイレ設備は、排泄物が排泄されると共に上方が開放された便器ボウル部と、前記便器ボウル部の外周縁を形成する便器リム部とを有する便器と、前記便器リム部を開閉する便座と、前記便器を、大便使用位置と、前記大便使用位置に対して上方の小便使用位置とへ上下移動させる移動手段と、前記便器が前記大便使用位置に配置された状態で、前記便器リム部を前記便座で閉じ、前記便器が前記小便使用位置に配置された状態で、前記便器リム部を前記便座から開放する開閉手段と、を備えることを特徴とする。
【０００８】
上記構成によれば、移動手段が、便器を、大便使用位置と、大便使用位置に対して上方の小便使用位置とへ上下移動させる。また、開閉手段が、便器が大便使用位置に配置された状態で、便器リム部を便座で閉じ、便器が小便使用位置に配置された状態で、便器リム部を便座から開放する。
【０００９】
このため、大小便兼用トイレ設備において、便器が上下移動しない場合と比して、男性の使用者が小便をする際に、小便の飛距離が短くなり、便器リム部が小便で汚れてしまうのを抑制することができる。
【００１０】
本発明の請求項２に係る大小便兼用トイレ設備は、請求項１に記載の大小便兼用トイレにおいて、前記便器は、前記便器ボウル部において使用者とは反対側の部分から上方へ立ち上がり、使用者側を向いたボウル面が形成されると共に使用者側が開放された小便用便器ボウル部を有し、前記便座が前記便器リム部を開放した状態で、前記便座は、前記小便用便器ボウル部を使用者側に開放していることを特徴とする。
【００１１】
上記構成によれば、便器は、便器ボウル部において使用者とは反対側の部分から上方へ立ち上がり、使用者側を向いたボウル面が形成されると共に使用者側が開放された小便用便器ボウル部を有している。さらに、便座が便器リム部を開放した状態で、便座は、小便用便器ボウル部を使用者側に開放している。
【００１２】
このため、小便用便器ボウル部が形成されていない場合と比して、男性の使用者が小便をする際に、小便が便器ボウル部を通り越して便器の外部に散る量が少なくなることで、トイレが小便で汚れてしまうのを抑制することができる。
【００１３】
本発明の請求項３に係る大小便兼用トイレ設備は、請求項２に記載の開閉装置において、前記便座が前記便器リム部を閉じた状態で、前記便座には、前記小便用便器ボウル部を使用者側から覆う覆い部材が形成されていることを特徴とする。
【００１４】
上記構成によれば、便座が便器リム部を閉じた状態で、便座には、小便用便器ボウル部を使用者側から覆う覆い部材が形成されている。このため、使用者が大便をする際に、便座に腰掛けた使用者の腰が、小便用便器ボウル部に触れるのを抑制することができる。
【発明の効果】
【００１５】
本発明によれば、大小便兼用トイレ設備において、便器が上下移動しない場合と比して、男性の使用者が小便をする際に、便器リム部が小便で汚れてしまうのを抑制することができる。
【図面の簡単な説明】
【００１６】
【図１】（Ａ）（Ｂ）本発明の第１実施形態に係る大小便兼用トイレ設備であって、便器が大便使用位置に配置された状態、及び便器が小便使用位置に配置された状態を示した側面図である。
【図２】本発明の第１実施形態に係る大小便兼用トイレ設備であって、便器が大便使用位置で、かつ、便座が閉塞位置に配置された状態を示した側面図である。
【図３】本発明の第１実施形態に係る大小便兼用トイレ設備であって、便器が小便使用位置で、かつ、便座が開放位置に配置された状態を示した側面図である。
【図４】本発明の第１実施形態に係る大小便兼用トイレ設備であって、便器が小便使用位置で、かつ、便座が閉塞位置に配置された状態を示した側面図である。
【図５】本発明の第１実施形態に係る大小便兼用トイレ設備であって、便器が大便使用位置で、かつ、便座が閉塞位置に配置された状態を示した斜視図である。
【図６】本発明の第１実施形態に係る大小便兼用トイレ設備であって、便器が小便使用位置で、かつ、便座が開放位置に配置された状態を示した斜視図である。
【図７】本発明の第１実施形態に係る大小便兼用トイレ設備であって、便器が小便使用位置で、かつ、便座が閉塞位置に配置された状態を示した斜視図である。
【図８】本発明の第１実施形態に係る大小便兼用トイレ設備であって、リム面を清掃する清掃ユニットを示した斜視図である。
【図９】本発明の第１実施形態に係る大小便兼用トイレ設備であって、リム面を清掃する清掃ユニットを示した斜視図である。
【図１０】本発明の第１実施形態に係る大小便兼用トイレ設備であって、リム面を清掃する清掃ユニットを示した斜視図である。
【図１１】本発明の第１実施形態に係る大小便兼用トイレ設備であって、便器、便座、及び清掃ユニットを示した断面図である。
【図１２】本発明の第１実施形態に係る大小便兼用トイレ設備であって、便座が閉塞位置に配置された状態を示した平面図である。
【図１３】本発明の第１実施形態に係る大小便兼用トイレ設備であって、便座が開放位置に配置された状態を示した平面図である。
【図１４】本発明の第１実施形態に係る大小便兼用トイレ設備であって、制御部の制御系を示したブロック図である。
【図１５】本発明の第１実施形態に係る大小便兼用トイレ設備であって、制御部の制御フローを示したフロー図である。
【図１６】本発明の第２実施形態に係る大小便兼用トイレ設備であって、便器が大便使用位置で、かつ、便座が閉塞位置に配置された状態を示した側面図である。
【図１７】本発明の第２実施形態に係る大小便兼用トイレ設備であって、便器が小便使用位置で、かつ、便座が開放位置に配置された状態を示した側面図である。
【図１８】本発明の第２実施形態に係る大小便兼用トイレ設備であって、便器が大便使用位置で、かつ、便座が閉塞位置に配置された状態を示した斜視図である。
【図１９】本発明の第２実施形態に係る大小便兼用トイレ設備であって、便器が小便使用位置で、かつ、便座が開放位置に配置された状態を示した斜視図である。
【図２０】本発明の第２実施形態に係る大小便兼用トイレ設備であって、制御部の制御系を示したブロック図である。
【発明を実施するための形態】
【００１７】
＜第１実施形態＞
本発明の第１実施形態に係る大小便兼用トイレ設備の一例を図１〜図１５に従って説明する。なお、図中に示す矢印Ｈはトイレの上下方向（鉛直方向）を示し、矢印Ｗはトイレの幅方向（水平方向）を示し、矢印Ｌはトイレの奥行方向（水平方向）を示す。
【００１８】
（トイレの全体構成）
トイレ１０に設けられた大小便兼用トイレ設備１０ａ（以下「トイレ設備１０ａ」）は、図２、図５に示されるように、便器１２と、便座３２と、給水設備等を内部に備えた本体部５２と、後述する移動機構７２を操作する操作スイッチ８２と、人感センサ７８とを備えている。さらに、トイレ設備１０ａは、便器１２の後述するリム面１６ａを清掃するための清掃ユニット８８（図８参照）と、各部を制御する制御部５０とを備えている。
【００１９】
〔本体部５２〕
本体部５２は、図２、図５に示されるように、便器１２に対して奥行方向の奥側（便器１２に対して使用者とは反対側）に配置されており、上下方向に延びた断面矩形状の筐体５６を備えている。そして、筐体５６は、トイレ１０の床面Ｆに固定されている。
【００２０】
また、本体部５２は、筐体５６の内部に配置された給水タンク５８と、給水タンク５８に水を供給するための供給管６０と、給水タンク５８から便器１２へ水を供給するための給水管６２と、排泄された便が流れる排便管６６と、便器１２を上下移動させる移動機構７２とを備えている。
【００２１】
−給水タンク５８・給水管６２・排便管６６−
給水タンク５８は、図２、図５に示されるように、筐体５６の内部において上側に配置されており、直方体状とされている。そして、給水タンク５８の内部には、便器１２に供給される水が貯留されている。
【００２２】
供給管６０は、筐体５６の内部において奥行方向の奥側（図中右側であって、使用者とは反対側）に配置されており、上下方向に延びている。さらに、供給管６０の上端は、給水タンク５８の下面に接続されている。また、供給管６０の下端は、図示せぬ給水機構に接続されている。そして、給水タンク５８に供給される水が、供給管６０を流れて給水タンク５８へ供給されるようになっている。
【００２３】
給水管６２は、筐体５６の内部において奥行方向の手前側（図中左側であって、使用者側）に配置されており、上下方向に延びている。さらに、給水管６２の上端は、給水タンク５８の下面に接続されている。また、給水管６２の下端は、便器１２側に屈曲し、筐体５６に形成された開口５６ａを介して便器１２の上端部分に設けられた図示せぬ受入口に接続されている。さらに、給水管６２には、給水管６２が上下方向に伸縮するように蛇腹部６２ａが形成されている。そして、便器１２に排泄された排泄物を排便管６６へ流すための水が、給水タンク５８から給水管６２を流れて便器１２へ供給されるようになっている。
【００２４】
排便管６６は、筐体５６の内部において奥行方向の手前側で、かつ、給水管６２の下方に配置されており、上下方向に延びている。さらに、排便管６６の上端は、便器１２側に屈曲し、筐体５６に形成された開口５６ａを介して便器１２の下端部分に設けられた後述する排便路２０の端部に接続されている。また、排便管６６の下端は、図示せぬ排泄機構に接続されている。さらに、排便管６６には、排便管６６が上下方向に伸縮するように蛇腹部６６ａが形成されている。そして、便器１２に排泄された排泄物を流す水が、便器１２から排便管６６を流れて処理されるようになっている。
【００２５】
−移動機構７２−
移動機構７２は、図２に示されるように、既知のボールねじ機構であって、筐体５６の内部において奥行方向の中央側に配置されている。移動機構７２は、上下方向に延びているねじ軸７２ａと、ねじ軸７２ａの両端部に配置された一対の軸受７２ｂと、ねじ軸７２ａを周方向に回転させるステッピングモータ７２ｃ（以下「モータ７２ｃ」と、ねじ軸７２ａが噛合うボールナットが形成されたブラケット７２ｄとを備えている。移動機構７２は、移動手段の一例である。
【００２６】
ブラケット７２ｄは、奥行方向に延びる直方体状とされている。そして、ねじ軸７２ａが、ブラケット７２ｄの奥行方向の奥側の部分に貫通し、ブラケット７２ｄのボールナットと噛合っている。また、便器１２の下側部分が、ブラケット７２ｄの奥行方向の手前側の端部に取り付けられている。具体的には、ブラケット７２ｄの奥行方向の手前側の端部が、筐体５６に形成された開口５６ａを介して便器１２の下側部分に取り付けられている。
【００２７】
この構成において、移動機構７２は、モータ７２ｃを稼動させてねじ軸７２ａを正逆方向に回転させることで、便器１２を上下方向へ移動させる。そして、移動機構７２は、大便をする際の大便使用位置（図２、図５参照）と、大便使用位置に対して上方で、小便をする際の小便使用位置（図３、図６参照）とに、便器１２を移動させるようになっている。
【００２８】
〔操作スイッチ８２・人感センサ７８〕
操作スイッチ８２は、図２、図５に示されるように、幅方向を向いた一方の壁面８４において上下方向の中央側の部分に取り付けられている。そして、操作スイッチ８２は、移動機構７２を稼動させて、大便使用位置に配置された便器１２を小便使用位置へ移動させるボタン８２ａと、小便使用位置に配置された便器１２を大便使用位置へ移動させるボタン８２ｂとを備えている。操作スイッチ８２は、操作手段の一例である。
【００２９】
人感センサ７８は、奥行方向の手前側を向いた壁面８６において上下方向の上方の部分に取り付けられている。この人感センサ７８は、トイレ１０を使用する使用者（人間）を検知するようになっている。
【００３０】
〔便器１２〕
便器１２は、図２、図３に示されるように、本体部５２の奥行方向の手前側に配置されている。そして、便器１２は、主に大便等の排泄物が排泄される便器ボウル部１４と、便器ボウル部１４の外周縁を形成する便器リム部１６と、排便路２０とを有している、さらに、便器１２は、男性の使用者が小便をする際に小便が排泄される補助ボウル部２２と、補助ボウル部２２の外周縁を形成する補助リム部２４とを有している。補助ボウル部２２は、小便用便器ボウル部の一例である。
【００３１】
−便器ボウル部１４・排便路２０・便器リム部１６−
便器ボウル部１４には、上方が開放した漏斗状のボウル面１４ａが形成されており、ボウル面１４ａの下端には、排便路２０の一端が接続されている。排便路２０は、幅方向から見て、上方が開放されたＵ字状とされており、排便路２０の他端は、排便管６６の上端に接続されている。
【００３２】
便器リム部１６は、図６に示されるように、便器ボウル部１４の外周縁を形成しており、上方を向いたリム面１６ａを有している。そして、このリム面１６ａは、図１３に示されるように、上方から見て、奥行方向の奥側が開放されたＵ字状とされており、奥行方向に延びると共に幅方向に離間している一対の延設面１８ａと、幅方向に延びると共に一対の延設面１８ａの奥行方向の手前側の端部を連結している連結面１８ｂとを有している。
【００３３】
この構成において、図２、図３に示されるように、便器１２が大便使用位置に配置された状態で、床面Ｆからリム面１６ａまでの高さ（図２のＴ１）は、一例として、４００〔ｍｍ〕とされ、便器１２が小便使用位置に配置された状態で、床面Ｆからリム面１６ａまでの高さ（図３のＴ２）は、一例として、７００〔ｍｍ〕とされとされている。
【００３４】
ここで、小便使用位置での便器１２の高さＴ２は、男性の使用者が小便をする際に、小便の飛距離を短くする観点から、大便使用位置での便器１２の高さＴ１に対して高い方が好ましい。一方、小便使用位置での便器１２の高さＴ２は、小柄な男性が小便をする観点から、大便使用位置での便器１２の高さＴ１に対して高すぎるのは好ましくない。
【００３５】
そこで、小便使用位置での便器１２の高さＴ２は、大便使用位置での便器１２の高さＴ１を１００とすると、１４０以上２００以下であれば好ましい。また、前述した観点から、小便使用位置での便器１２の高さＴ２は、大便使用位置での便器１２の高さＴ１を１００とすると、１６０以上１９０以下であればさらに好ましく、１７０以上１８０以下であれば特に好ましい。
【００３６】
−補助ボウル部２２・補助リム部２４−
補助ボウル部２２は、図３、図６に示されるように、便器ボウル部１４の奥行方向の奥側の部分から上方へ立ち上がっている。また、この補助ボウル部２２には、奥行方向の手前側（使用者側）を向いたボウル面２２ａが形成されている。具体的には、このボウル面２２ａは、便器ボウル部１４のボウル面１４ａにおいて奥行方向の奥側の部分を上方へ延長することで形成されている。そして、上下方向に対して直交する方向でボウル面２２ａを切断した断面は、奥行方向の手前側（使用者側）が開放されたＵ字状とされている。
【００３７】
補助リム部２４は、前述したように、補助ボウル部２２の外周縁を形成しており、奥行方向の手前側を向いた一対のリム面２４ａを有している。この一対のリム面２４ａは、便器リム部１６のリム面１６ａの奥行方向の奥側の部分から上方に立ち上がり、上下方向に延び、幅方向に離間している。
【００３８】
この構成において、男性の使用者が小便をする際に、補助ボウル部２２のボウル面２２ａに当たった小便は、ボウル面２２ａを下方に流れ、便器ボウル部１４のボウル面１４ａを通って、排便路２０へ到達するようになっている。
【００３９】
ここで、便器リム部１６からの補助ボウル部２２の高さ（図３のＨ１）については、便器１２を小型化する観点から低い方が好ましい、一方、高さＨ１については、小便が便器１２の外部に散るのを抑制する観点から高い方がこの好ましい。そこで、補助ボウル部２２の高さＨ１は、便器リム部１６の奥行方向の長さ（図３のＬ１）の１０〔％〕以上６０〔％〕以下であれば好ましい。また、前述した観点から、高さＨ１は、長さＬ１の２０〔％〕以上５０〔％〕以下であればさらに好ましく、３５〔％〕以上４５〔％〕以下であれば特に好ましい。
【００４０】
−その他−
便器１２において奥行方向の奥側で、かつ、上側の部分には、図８に示されるように、便座３２が回転可能に取り付けられる一対の取付部２８が、幅方向に離間して形成されている。また、取付部２８には、便座３２を回転させるステッピングモータ３０（以下「モータ３０」）が配置されている。モータ３０は、開閉手段の一例である。
【００４１】
〔便座３２〕
便座３２は、図２に示されるように、便器１２の上方に配置されており、便器１２の取付部２８（図８参照）に回転可能に取り付けられている。そして、便座３２は、取付部２８に配置されたモータ３０の駆動力によって、一方向、他方向に回転移動する。具体的には、便座３２は、回転移動して、図５、図６に示されるように、便器リム部１６、補助ボウル部２２、及び補助リム部２４を覆って便器１２を閉じる閉塞位置（図５参照）と、便器１２の便器ボウル部１４、便器リム部１６、補助ボウル部２２、及び補助リム部２４を外部に開放する開放位置（図６参照）とに配置されるようになっている。
【００４２】
また、便座３２は、図２に示されるように、幅方向から見て、Ｌ字状とされている。そして、便座３２は、便座３２が閉塞位置に配置された状態で、便器リム部１６のリム面１６ａを覆う基部３４と、基部３４の奥行方向の奥側の部分から立ち上がり、補助ボウル部２２及び補助リム部２４を覆う補助部３６とを有しいている。
【００４３】
−便座３２の基部３４−
便座３２の基部３４には、図５、図１２に示されるように、便座３２が閉塞位置に配置された状態で、便器ボウル部１４を上方へ開放する貫通孔３４ａが形成されている。さらに、基部３４は、図１１に示されるように、便器リム部１６のリム面１６ａを上方から覆うと共に板面が上下方向を向いた覆い部３４ｂと、覆い部３４ｂの外周縁から下方へ延び、便器リム部１６のリム面１６ａの外縁部分と上下方向で接触するフランジ部３４ｃとを有している。
【００４４】
この構成において、便座３２の基部３４は、便座３２が閉塞位置に配置された状態で、便器リム部１６のリム面１６ａを上方から覆っている（図５参照）。さらに、便座３２の基部３４は、便座３２が開放位置に配置された状態で、便器リム部１６のリム面１６ａを上方へ開放している（図６参照）。なお、便器ボウル部１４は、便座３２の位置に係わらず、上方へ開放されている。
【００４５】
−便座３２の補助部３６−
便座３２の補助部３６は、図５に示されるように、便座３２が閉塞位置に配置された状態で、補助ボウル部２２及び補助リム部２４（図６参照）を奥行方向の手前側（使用者側）から覆う本体部３６ａと、本体部３６ａの上端側に形成され、便器１２の取付部２８に取り付けられた取付部３６ｂとを有している。また、取付部３６ｂには、便座３２の開度を規制する図示せぬストッパーが設けられている。本体部３６ａは、覆い部材の一例である。
【００４６】
この構成において、便座３２の補助部３６は、便座３２が閉塞位置に配置された状態で、補助ボウル部２２及び補助リム部２４を奥行方向の手前側から覆っている（図５参照）。さらに、便座３２の補助部３６は、便座３２が開放位置に配置された状態で、補助ボウル部２２及び補助リム部２４を奥行方向の手前側へ開放している（図６参照）。
【００４７】
〔清掃ユニット８８〕
清掃ユニット８８は、便器リム部１６のリム面１６ａを清掃するユニットであって、閉塞位置に配置され状態の便座３２において便器１２側の部分に取り付けられている。そして、清掃ユニット８８は、図８に示されるように、幅方向に延びている円柱状のブラシ９０と、ブラシ９０の回転軸を構成すると共にブラシ９０の長手方向の両端部から幅方向に突出している軸部材９２とを備えている。また、清掃ユニット８８は、ブラシ９０の両端側に配置された一対のブラケット９４と、ブラケット９４を貫通しているねじ軸９６と、ねじ軸９６の両端部を支持している一対の軸受９８とを備えている。さらに、清掃ユニット８８は、ブラシ９０を回転させるためのモータ１０２と、ブラシ９０を移動させるためのステッピングモータ１０４（以下「モータ１０４」）とを備えている。
【００４８】
−ブラシ９０・軸部材９２−
ブラシ９０は、便座３２が閉塞位置に配置され、かつ、便器リム部１６のリム面１６ａを清掃していない清掃ユニット８８の待機状態で、図８に示されるように、便座３２の基部３４において奥行方向の奥側の部分と便器１２との間の待機位置に配置されている。ブラシ９０は、図１１に示されるように、幅方向に延びている円柱状とされており、ブラシ９０の両端部分は、リム面１６ａに接触している。
【００４９】
軸部材９２は、ブラシ９０の回転軸を構成すると共にブラシ９０の長手方向の両端部から幅方向に突出している。そして、軸部材９２の両端部には、図示せぬ傘歯車が形成されている。
【００５０】
−ブラケット９４・ねじ軸９６・モータ１０２−
ブラケット９４は、図８に示されるように、ブラシ９０の両端側に夫々配置されており、奥行方向に延びている直方体状に形成されている。また、ねじ軸９６は、奥行方向に延びており、ブラケット９４を貫通している。
【００５１】
ねじ軸９６は、便座３２が閉塞位置に配置された状態で、基部３４の覆い部３４ｂ（図１１参照）の下方に配置されており、トイレ１０を使用する使用者から見えないようになっている。また、ねじ軸９６の奥行方向の奥側の端部は、奥行方向において、便座３２に形成された貫通孔３４ａに対して奥行方向の奥側に配置され、ねじ軸９６の奥行方向の手前側の端部は、奥行方向において、便座３２に形成された貫通孔３４ａに対して奥行方向の手前側に配置されている。
【００５２】
ブラケット９４は、ねじ軸７２ａが噛合う図示せぬボールナットと、軸部材９２を回転可能に支持する図示せぬ軸受を有している。さらに、ブラケット９４の内部には、モータ１０２が配置されている。このモータ１０２の回転軸１０２ａの軸線は、上方から見て、軸部材９２の軸線と直交している。そして、このモータ１０２の回転軸１０２ａの先端部には、軸部材９２の端部に形成された傘歯車と噛合う傘歯車が形成されている。
【００５３】
この構成において、モータ１０２の駆動力は、一対の傘歯車によって軸部材９２に伝達され、ブラシ９０がブラシ９０の周方向に回転するようになっている。
【００５４】
−軸受９８・モータ１０４−
軸受９８は、ねじ軸９６の両端部に夫々配置されて便座３２に取り付けられており、ねじ軸９６を回転可能に支持している。
【００５５】
さらに、奥行方向の奥側の軸受９８には、ねじ軸９６をねじ軸９６の周方向に回転させるためのステッピングモータ１０４（以下「モータ１０４」）が配置されている。
【００５６】
この構成において、モータ１０４の駆動力は、ねじ軸９６に伝達され、ねじ軸９６が、正逆方向に回転する。これにより、ブラシ９０は、図９、図１０に示されるように、奥行方向に移動するようになっている。
【００５７】
〔制御部５０〕
制御部５０は、図２に示されるように、筐体５６の内部に配置されている。そして、制御部５０は、図１４に示されるように、人感センサ７８、及び操作スイッチ８２からの入力信号によってモータ７２ｃ、３０、１０２、１０４を制御するようになっている。なお、制御部５０による各部の制御については、後述する作用と共に説明する。
【００５８】
（作用）
次に、トイレ設備１０ａの作用について、図１５に示すフロー図を用いて説明する。トイレ１０に使用者が居ない初期状態では、図２、図５に示されるように、便器１２は、大便使用位置に配置されており、便座３２は、閉塞位置に配置されている。さらに、ブラシ９０は、待機位置に配置されている。
【００５９】
使用者がトイレ１０に入ると、ステップＳ１００で、人感センサ７８が使用者を検知する。人感センサ７８が使用者を検知すると、ステップＳ２００で、制御部５０は、使用者によって操作スイッチ８２のボタン８２ａが押されたか否かを判断する。ボタン８２ａが押されると、ステップＳ３００へ移行する。
【００６０】
ステップＳ３００では、制御部５０は、移動機構７２のモータ７２ｃを稼動し、稼動したモータ７２ｃは、図２、図３に示されるように、ねじ軸７２ａを回転させて便器１２を大便使用位置から小便使用位置へ移動させる。さらに、制御部５０は、便座３２を回転移動させるモータ３０を稼動し、稼動したモータ３０は、図２、図３に示されるように、便座３２を閉塞位置から開放位置へ移動させる。便器１２が小便使用位置へ移動し、かつ、便座３２が開放位置へ移動すると、ステップＳ４００へ移行する。
【００６１】
ステップＳ４００では、トイレ１０に入った使用者が、図１（Ｂ）に示されるように、小便を補助ボウル部２２及び便器ボウル部１４へ排泄し、トイレ１０から出る。使用者がトイレ１０から出ると、人感センサ７８が、使用者を検知しなくなる（非検知）。人感センサ７８が、使用者を検知しなくなると、ステップＳ５００へ移行する。
【００６２】
ステップＳ５００では、制御部５０は、便座３２を回転移動させるモータ３０を稼動し、稼動したモータ３０は、図６、図７に示されるように、便座３２を開放位置から閉塞位置へ移動させる。便座３２が開放位置から閉塞位置へ移動すると、ステップＳ６００へ移動する。
【００６３】
ステップＳ６００では、制御部５０は、モータ１０２、１０４を稼動させる。稼動したモータ１０２は、ブラシ９０を回転させ、稼動したモータ１０４は、図８、図９、図１０に示されるように、回転しているブラシ９０を、リム面１６ａに接触させながら奥行方向に往復移動させる。リム面１６ａを清掃するブラシ９０が奥行方向に往復移動して待機位置に戻ってくると、ステップＳ７００へ移行する。
【００６４】
ステップＳ７００では、制御部５０は、移動機構７２のモータ７２ｃを稼動し、稼動したモータ７２ｃは、図２、図４に示されるように、ねじ軸７２ａを回転させて便器１２を小便使用位置から大便使用位置へ移動させる。
【００６５】
さらに、制御部５０は、補助ボウル部２２及び便器ボウル部１４へ水を供給し、補助ボウル部２２及び便器ボウル部１４へ排泄された排泄物を、排便路２０を介して排便管６６へ流して処理する。これにより、一連の動作が終了する。
【００６６】
一方、ステップＳ２００で、ボタン８２ａが押されなかった場合は、ステップＳ３１０へ移行する。
【００６７】
ステップＳ３１０では、トイレ１０に入った使用者が、図１（Ａ）に示されるように、便座３２に腰掛け、大便又は小便を便器ボウル部１４へ排泄し、トイレ１０から出る。使用者がトイレ１０から出ると、人感センサ７８が、使用者を検知しなくなる（非検知）。人感センサ７８が、使用者を検知しなくなると、ステップＳ４１０へ移行する。
【００６８】
ステップＳ４１０では、制御部５０は、補助ボウル部２２及び便器ボウル部１４へ水を供給し、便器ボウル部１４へ排泄された排泄物を、排便路２０を介して排便管６６へ流して処理する。これにより、一連の動作が終了する。
【００６９】
（まとめ）
以上説明したように、便器１２が大便使用位置に配置された状態で、便座３２が便器リム部１６を閉塞する。また、便器１２が、大便使用位置に対して上方の小便使用位置に配置された状態で、便座３２が便器リム部１６を開放する。このため、便器が上下移動しない場合と比して、男性の使用者が小便をする際に、小便の飛距離が短くなり、便器リム部１６が小便で汚れてしまうのを抑制することができる。
【００７０】
また、便器１２には、便器ボウル部１４の奥行方向の奥側の部分から上方へ立ち上がる補助ボウル部２２が形成され、この補助ボウル部２２には、奥行方向の手前側を向いたボウル面２２ａが形成されている。このため、補助ボウル部２２が形成されていない場合にと比して、男性の使用者が小便をする際に、小便が便器ボウル部１４を通り越して便器１２の外部に散る量が少なくなることで、トイレ１０が小便で汚れてしまうのを抑制することができる。
【００７１】
また、便座３２が閉塞位置に配置された状態で、便座３２には、補助ボウル部２２を奥行の手前側から覆う本体部３６ａが形成されている。このため、便座３２に腰掛けた使用者の腰が、補助ボウル部２２に触れるのを抑制することができる。
【００７２】
また、補助ボウル部２２のボウル面２２ａは、便器ボウル部１４のボウル面１４ａにおいて奥行方向の奥側の部分を上方へ延長することで形成されている。このため、補助ボウル部のボウル面と便器ボウル部のボウル面とが屈曲部を介して繋がっている場合と比して、補助ボウル部２２に排泄された小便を、便器ボウル部１４へ滑らかに流すことができる。
【００７３】
また、補助ボウル部２２に排泄された小便を、便器ボウル部１４へ滑らかに流すことで、補助ボウル部２２のボウル面２２ａが小便で汚れるのを抑制することができる。
【００７４】
また、上下方向に対して直交する方向で補助ボウル部２２のボウル面２２ａを切断した断面は、奥行方向の手前側が開放されたＵ字状とされている。このため、補助ボウル部２２に排泄された小便が補助ボウル部２２の外部に散るのを抑制することができる。
【００７５】
また、使用者が小便をした後に、ブラシ９０が、回転しながら奥行方向に往復移動して、リム面１６ａを清掃する。このため、便器１２のリム面１６ａが小便で汚れてしまった場合でも、リム面１６ａを清潔に保つことができる。
【００７６】
＜第２実施形態＞
次に、本発明の第２実施形態に係る大小便兼用トイレ設備の一例を図１６〜図２０に従って説明する。なお、第２実施形態については、第１実施形態と異なる部分を主に説明する。
【００７７】
（トイレの全体構成）
トイレ２１０に設けられた大小便兼用トイレ設備２１０ａ（以下「トイレ設備２１０ａ」）は、図１６、図１８に示されるように、便器１２と、便座３２と、給水設備等を内部に備えた本体部２５２と、清掃ユニット８８（図８参照）とを備えている。さらに、トイレ設備２１０ａは、便器１２の位置を検知する位置センサ２６０と、人感センサ７８と、各部を制御する制御部２５０とを備えている。このように、トイレ設備２１０ａは、第１実施形態のトイレ設備１０ａが備えている操作スイッチを備えていない。
【００７８】
〔本体部２５２〕
本体部２５２は、図１６、図１８に示されるように、便器１２に対して奥行方向の奥側（便器１２に対して使用者とは反対側）に配置されており、上下方向に延びた断面矩形状の筐体５６を備えている。そして、筐体５６は、トイレ１０の床面Ｆに固定されている。
【００７９】
また、本体部２５２は、筐体５６の内部に配置された給水タンク５８と、給水タンク５８に水を供給するための供給管６０と、給水タンク５８から便器１２へ水を供給するための給水管６２と、排泄された便が流れる排便管６６と、便器１２を上下移動させる移動機構２７２とを備えている。
【００８０】
−移動機構２７２−
移動機構２７２は、図１６に示されるように、既知のボールねじ機構を備え、筐体５６の内部において奥行方向の中央側に配置されている。移動機構２７２は、上下方向に延びているねじ軸７２ａと、ねじ軸７２ａの両端部に配置された一対の軸受７２ｂと、ねじ軸７２ａを周方向に回転させる回転機構２７４と、ねじ軸７２ａが噛合うボールナットが形成されたブラケット７２ｄとを備えている。移動機構２７２は、移動手段の一例である。
【００８１】
回転機構２７４は、ねじ軸７２ａの上端に取り付けられると共に既知のギヤが組み合わされたギヤ群（図示省略）を有するギヤボックス２７６と、ギヤボックス２７６に取り付けられたレバー２７８（図１８参照）とを備えている。
【００８２】
レバー２７８は、図１８に示されるように、筐体５６の外部に配置され、筐体５６の側板５６ｂに形成された貫通孔を通して、ギヤボックス２７６内の一のギヤに連結されている。具体的には、レバー２７８は、片持ち状とされ、筐体５６の側板５６ｂからから奥行方向の手前側へ延びている。レバー２７８の先端には、トイレ２１０に入った使用者が把持可能な把持部２７８ａが形成されている。さらに、レバー２７８の基端には、幅方向に延びて筐体５６の側板５６ｂに形成された貫通孔の通る軸部２７８ｂが形成されている。
そして、図示せぬ移動規制部材によって移動領域が規制されたレバー２７８は、軸部２７８ｂを中心に、把持部２７８ａが軸部２７８ｂに対して下方となる下方位置（図１８参照）と、把持部２７８ａが軸部２７８ｂに対して上方となる上方位置（図１９参照）との間を移動するようになっている。
【００８３】
ギヤボックス２７６は、レバー２７８の回転力をねじ軸７２ａに伝達する機能を有している。そして、ギヤボックス２７６に備えられたギヤ群の中の一のギヤは、レバー２７８の軸部２７８ｂに連結され、ギヤボックス２７６に備えられたギヤ群の中の他のギヤは、ねじ軸７２ａに連結されている。
【００８４】
さらに、レバー２７８が下方位置に配置された状態で、図１８に示されるように、便器１２が大便使用位置に移動し、レバーが上方位置に配置された状態で、図１９に示されるように、便器１２が小便使用位置に移動するように、ギヤボックス２７６に備えられたギヤ群の歯車比（ギヤ比）が決められている。
【００８５】
また、把持部２７８ａには、使用者が把持部２７８ａを把持したことを検知する検知部材（図示省略）が設けられており、筐体５６の内部には、検知部材が使用者による把持部２７８ａの把持を検知すると、ねじ軸７２ａの回転を解除する解除部材（図示省略）が設けられている。この構成によって、使用者が把持部２７８ａを把持してレバー２７８を回転移動させることで、ねじ軸７２ａが回転して便器１２が上下移動し、便器１２側からの入力によっては、便器１２が上下移動しないようになっている。
【００８６】
〔位置センサ２６０〕
位置センサ２６０は、光学系のセンサであって、筐体５６の内部で、ブラケット７２ｄの下方に配置されている。そして、位置センサ２６０は、ブラケット７２ｄの上下方向の位置を検知することで、便器１２の上下方向の位置を検知するようになっている。
【００８７】
〔制御部２５０〕
制御部２５０は、図１６に示されるように、筐体５６の内部に配置されている。そして、制御部２５０は、図２０に示されるように、位置センサ２６０、及び人感センサ７８の検知信号によって、モータ３０、１０２、１０４を制御するようになっている。なお、制御部２５０による各部の制御については、後述する作用と共に説明する。
【００８８】
（作用）
次に、トイレ設備２１０ａの作用について説明する。トイレ２１０に使用者が居ない初期状態では、ブラシ９０は、待機位置（図８参照）に配置されており、便器１２は大便使用位置、又は小便使用位置に配置されている。また、便器１２が大便使用位置に配置されている場合は、便座３２は、閉塞位置に配置されており、便器１２が小便使用位置に配置されている場合は、便座３２は、開放位置に配置されている。
【００８９】
そして、使用者がトイレ１０に入ると、人感センサ７８が使用者を検知する。使用者は、使用目的に合わせて、便器１２の位置を変える、又は便器１２の位置を維持する。
【００９０】
例えば、男性の使用者が小便をする際に、便器１２が大便使用位置に配置されている場合は、使用者は、下方位置のレバー２７８を上方位置へ移動させ、便器１２を大便使用位置から小便使用位置へ移動させる。便器１２が大便使用位置から小便使用位置へ移動すると、位置センサ２６０が便器１２の移動を検知する。そして、制御部２５０は、位置センサ２６０の検知信号を受け取り、便座３２を回転移動させるモータ３０を稼動させる。稼動したモータ３０は、図１６、図１７に示されるように、閉塞位置の便座３２を開放位置へ移動させる。このように、制御部２５０は、便器１２の移動に伴って便座３２の位置を移動させる。
【００９１】
例えば、使用者が大便をする際に、便器１２が小便使用位置に配置されている場合は、使用者は、上方位置のレバー２７８を下方位置へ移動させ、便器１２を小便使用位置から大便使用位置へ移動させる。便器１２が小便使用位置から大便使用位置へ移動すると、位置センサ２６０が便器１２の移動を検知する。そして、制御部２５０は、位置センサ２６０の検知信号を受け取り、便座３２を回転移動させるモータ３０を稼動させる。稼動したモータ３０は、図１６、図１７に示されるように、便座３２を開放位置から閉塞位置へ移動させる。このように、制御部２５０は、便器１２の移動に伴って便座３２の位置を移動させる。
【００９２】
なお、便器１２が便器１２の上下方向の移動範囲において、中央位置又は中央位置に対して高い場合には、制御部２５０は、便座３２を開放位置へ移動させる。一方、便器１２が便器１２の上下方向の移動範囲において、中央位置に対して低い場合には、制御部２５０は、便座３２を閉塞位置へ移動させる。
【００９３】
トイレ１０に入った使用者がトイレ１０から出ると、人感センサ７８が、使用者を検知しなくなる（非検知）。
【００９４】
人感センサ７８が、使用者を検知しなくなってから所定時間が経過すると、制御部２５０は、モータ１０２、１０４を稼動させる。稼動したモータ１０２は、ブラシ９０を回転させ、稼動したモータ１０４は、図８、図９、図１０に示されるように、回転しているブラシ９０を、リム面１６ａに接触させながら奥行方向に往復移動させる。リム面１６ａを清掃するブラシ９０が奥行方向に往復移動して待機位置に戻って一連の動作が終了する。
【００９５】
（まとめ）
以上説明したように、第２実施形態のトイレ設備２１０ａでは、手動によって、便器１２の位置を変えることができる。
【００９６】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、特に説明しなかったが、小柄な男性が小便する場合には、便器１２が大便使用位置に配置され、かつ、便座３２が閉塞位置に配置された状態（初期状態）で、使用者が、便座３２を手動で閉塞位置から開放位置へ移動させて、小便をしてもよい。
【００９７】
また、上記第１実施形態では、特に説明しなかったが、使用者が、ボタン８２ａを押して、便器１２を大便使用位置から小便使用位置へ移動させた後に、便器１２を大便使用位置に移動させたくなった場合には、使用者が、ボタン８２ｂを押すことで、便器１２を大便使用位置に移動させることができる。
【００９８】
また、上記第１実施形態では、初期値で、便器１２が大便使用位置に配置され、かつ、便座３２が閉塞位置に配置されていたが、例えば、初期値で、便器１２が小便使用位置に配置され、かつ、便座３２が開放位置に配置されていてもよい。
【００９９】
また、上記第１実施形態では、操作スイッチ８２を操作することで、便器１２が移動したが、例えば、使用者の身長、使用者の姿勢を検知するセンサを設け、使用者の身長及び使用者の姿勢に基づいて、便器１２を移動させてもよい。
【０１００】
また、上記実施形態では、特に説明しなかったが、排便管６６の上下方向に伸縮するように蛇腹部６６ａについては、幅方向においてブラケット７２ｄの一方側に配置してもよく、他方側に配置してもよい。また、蛇腹部６６ａについては、ブラケット７２ｄに上下方向に貫通孔を形成させ、この貫通孔を通してもよい。
【０１０１】
また、上記第２実施形態では、レバー２７８を回転移動させることで便器１２を上下移動させたが、手動によって便器１２を上下移動させればよく、例えば、円形のハンドル等を回転させることで便器を上下移動させてもよい。
【符号の説明】
【０１０２】
１０ａ  大小便兼用トイレ設備
１２    便器
１４    便器ボウル部
１６    便器リム部
２２    補助ボウル部（小便用便器ボウル部の一例）
２２ａ  ボウル面
３０    モータ（開閉手段の一例）
３２    便座
３６ａ  本体部（覆い部材の一例）
７２    移動機構（移動手段の一例）
２１０ａ  大小便兼用トイレ設備
２７２  移動機構（移動手段の一例）
【図１】
2020063653.tif 000003
【図２】
2020063653.tif 000004
【図３】
2020063653.tif 000005
【図４】
2020063653.tif 000006
【図５】
2020063653.tif 000007
【図６】
2020063653.tif 000008
【図７】
2020063653.tif 000009
【図８】
2020063653.tif 000010
【図９】
2020063653.tif 000011
【図１０】
2020063653.tif 000012
【図１１】
2020063653.tif 000013
【図１２】
2020063653.tif 000014
【図１３】
2020063653.tif 000015
【図１４】
2020063653.tif 000016
【図１５】
2020063653.tif 000017
【図１６】
2020063653.tif 000018
【図１７】
2020063653.tif 000019
【図１８】
2020063653.tif 000020
【図１９】
2020063653.tif 000021
【図２０】
2020063653.tif 000022